【手続補正書】
【提出日】平成21年9月28日(2009.9.28)
【手続補正１】
【補正対象書類名】明細書
【補正対象項目名】０００５
【補正方法】変更
【補正の内容】
【０００５】  図７に示す回路は、定電圧回路４と、定電流回路２Ｂと、差動ドライバ回路３を備える。定電圧回路４は、半導体のバンドギャップ電圧から定電圧を生成するバンドギャップリファレンス回路であり、基準振幅に相当する安定した定電圧を生成する。
【手続補正２】
【補正対象書類名】明細書
【補正対象項目名】０００７
【補正方法】変更
【補正の内容】
【０００７】  差動ドライバ回路３は、接地線１８に接続し定電流回路２Ｂからの定電流を受けミラー回路を構成するＮチャネルＭＯＳトランジスタ１９、２０ａ、２０ｂ、２０ｃ、２０ｄと、電源線２１に接続し定電流源を構成するＰチャネルＭＯＳトランジスタ２２ａ、２２ｂ、２２ｃ、２２ｄ、２３ａ、２３ｂ、２３ｃ、２３ｄと、ＰチャネルＭＯＳトランジスタ２３ｂ、２３ｃ、２３ｄのゲートを電源線２１に接続することによって対応する定電流源をオフするスイッチ回路１１と、ＰチャネルＭＯＳトランジスタ２３ｂ、２３ｃ、２３ｄのゲートをＰチャネルＭＯＳトランジスタ２２ｂ、２２ｃ、２２ｄのドレインに接続することによって対応する定電流源をオンするスイッチ回路１２と、論理を出力するためのスイッチとして機能するＰチャネルＭＯＳトランジスタ２４ａおよび２４ｂと、接地線１８に接続する終端抵抗２５ａおよび２５ｂを備える。入力端子２６ａと２６ｂは、ＬＳＩ内部の差動論理信号を入力するためのものであり、それらの入力を受けて、ＰチャネルＭＯＳトランジスタ２３ａ、２３ｂ、２３ｃ、２３ｄで流れる全電流値と、終端抵抗２５ａおよび２５ｂの抵抗値とから決まる電圧値が、論理振幅として出力端子２７ａと２７ｂから出力される。また、ＰチャネルＭＯＳトランジスタ２２ａと２３ａから構成された定電流源が常にオンにされている。なお、以下の説明において、出力端子２７ａと２７ｂから出力される論理振幅を出力振幅という。
【手続補正３】
【補正対象書類名】明細書
【補正対象項目名】０００９
【補正方法】変更
【補正の内容】
【０００９】  ここで具体例を用いて説明する。たとえば、ＰチャネルＭＯＳトランジスタ１５、２４ａ、２４ｂを同一にし、終端抵抗１６、２５ａ、２５ｂを同一にする。そして、定電流源を構成する各々のトランジスタ組（ＰチャネルＭＯＳトランジスタ９と１０、ＰチャネルＭＯＳトランジスタ２２ａ〜ｄ、ＰチャネルＭＯＳトランジスタ２３ａ〜２３ｄ）のチャネル幅サイズ比をそれぞれ「５：１」、「１：１：１：１」、「５：１：１：１」にする。この場合、定電圧回路４が生成した基準振幅を５００ｍＶにすると、制御端子１３によりスイッチ回路１１とスイッチ回路１２を制御することによって、出力端子２７ａと出力端子２７ｂからの出力振幅を５００ｍＶ、６００ｍＶ、７００ｍＶ、８００ｍＶにすることができる。すなわち、図７に示す回路によって５００ｍＶの基準振幅を２０％刻みに可変することができる。なお、図７は、ＰチャネルＭＯＳトランジスタ２３ｂ〜２３ｄを全てオフにした例を示しており、この例では、出力端子２７ａと２７ｂからの出力振幅は、ＰチャネルＭＯＳトランジスタ２２ａと２３ａから構成された定電流源のみから出力された電流値に応じた５００ｍＶである。
【手続補正４】
【補正対象書類名】明細書
【補正対象項目名】００１３
【補正方法】変更
【補正の内容】
【００１３】  定電圧回路ブロック１は、定電圧回路４と、分圧回路３５を有する。定電圧回路４は、図７における定電圧回路４と同様なバンドギャップリファレンス回路である。分圧回路３５は、ラダー抵抗を有し、定電圧回路４の出力をラダー抵抗で分圧して複数の基準振幅候補を定電流回路２Ｃに出力する。
【手続補正５】
【補正対象書類名】明細書
【補正対象項目名】００３０
【補正方法】変更
【補正の内容】
【００３０】  定電圧回路１１０は、バンドギャップリファレンス回路であり、安定した定電圧を生成して電流供給回路１２０に出力する。
【手続補正６】
【補正対象書類名】明細書
【補正対象項目名】００３９
【補正方法】変更
【補正の内容】
【００３９】  差動ドライバ回路１３０Ａは、図７に示す回路における差動ドライバ回路３と同じ構成を有し、接地線１３８に接続し電流供給回路１２０から出力された１つの定電流（図示ではＰチャネルＭＯＳトランジスタ１２２ａのドレインからの定電流）を受けミラー回路を構成するＮチャネルＭＯＳトランジスタ１３９およびＮチャネルＭＯＳトランジスタ１４０ａ〜１４０ｄと、電源線１４１に接続し４つの定電流源を構成するＰチャネルＭＯＳトランジスタ１４２ａ〜１４２ｄおよびＰチャネルＭＯＳトランジスタ１４３ａ〜１４３ｄと、ＰチャネルＭＯＳトランジスタ１４３ｂ〜１４３ｄのゲートを電源線１４１に接続することによって対応する定電流源をオフするスイッチ回路１３１と、ＰチャネルＭＯＳトランジスタ１４３ｂ〜１４３ｄのゲートをＰチャネルＭＯＳトランジスタ１４２ｂ〜１４２ｄのドレインに接続することによって対応する定電流源をオンするスイッチ回路１３２と、論理を出力するためのスイッチとして機能するＰチャネルＭＯＳトランジスタ１４４ａおよび１４４ｂと、接地線１３８に接続する終端抵抗１４５ａおよび１４５ｂを備える。入力端子１３６ａと１３６ｂは、ＬＳＩ内部の差動論理信号を入力するためのものであり、それらの入力を受けて、ＰチャネルＭＯＳトランジスタ１４３ａ、１４３ｂ、１４３ｃ、１４３ｄで流れる全電流値と、終端抵抗１４５ａおよび１４５ｂの抵抗値とから決まる電圧値が、論理振幅として出力端子１４７ａと１４７ｂから出力される。
【手続補正７】
【補正対象書類名】明細書
【補正対象項目名】００５３
【補正方法】変更
【補正の内容】
【００５３】  ここで具体例を用いて図１に示す信号伝送回路１００の動作を説明する。まず、各トランジスタ、終端抵抗、差動ドライバ回路１３０Ａ〜１３０Ｄにおけるスイッチ回路の組合せについて説明する。
【手続補正８】
【補正対象書類名】明細書
【補正対象項目名】００６５
【補正方法】変更
【補正の内容】
【００６５】  図１に示す信号伝送回路１００において、バンドギャップリファレンス回路である定電圧回路１１０からの定電圧をラダー抵抗で分圧して選択的に出力することによって、各差動ドライバ回路に供給する定電流を調整しているが、差動ドライバ回路に調整可能な定電流を供給することができれば、他の手法を用いてもよい。図６は、他の手法を適用した例としての第２の実施の形態を示す。
【手続補正９】
【補正対象書類名】明細書
【補正対象項目名】００６７
【補正方法】変更
【補正の内容】
【００６７】  定電圧回路２１０は、信号伝送回路１００における定電圧回路１１０と同様なバンドギャップリファレンス回路であり、定電圧を出力する。
【手続補正１０】
【補正対象書類名】明細書
【補正対象項目名】００８３
【補正方法】変更
【補正の内容】
【００８３】
【図１】本発明の第１の実施の形態にかかる信号伝送回路の構成を示す図である。
【図２】図１に示す信号伝送回路における電流供給回路を説明するための図である（その１）。
【図３】図１に示す信号伝送回路における電流供給回路を説明するための図である（その２）。
【図４】図１に示す信号伝送回路における電流供給回路を説明するための図である（その３）。
【図５】図１に示す信号伝送回路における電流供給回路を説明するための図である（その４）。
【図６】本発明の第２の実施の形態にかかる信号伝送回路の構成を示す図である。
【図７】従来の信号伝送回路を示す図である（その１）。
【図８】従来の信号伝送回路を示す図である（その２）。